(57)【要約】【課題】環境を汚染し、人間の健康に悪影響を与える汚染物質等を処理できる処理剤、および汚染物質を簡便にかつ確実に除去することができる方法を提供すること。【解決手段】本発明の物質の処理剤は、物質の処理剤石灰石に塩を加えて焼成処理することにより得られる石灰を主成分とする、物質の処理剤であって、大腸菌類、重金属、揮発性有機化合物、リン含有物質、窒素含有化合物、芳香族含有化合物、フッ素化合物から選択される少なくとも１種の汚染物質を含む被処理物より、前記汚染物質を除去する機能を有することを特徴とする。被処理物は、汚染土壌である。被処理物は、汚染水である。被処理物は、動物の排泄物である。【選択図】なし【特許請求の範囲】
【請求項１】
石灰石に塩を加えて焼成処理することにより得られる石灰を主成分とする、物質の処理剤であって、
大腸菌類、重金属、揮発性有機化合物、リン含有物質、窒素含有化合物、芳香族含有化合物、フッ素化合物から選択される少なくとも１種の汚染物質を含む被処理物より、前記汚染物質を除去する機能を有することを特徴とする物質の処理剤。
【請求項２】
前記被処理物は、汚染土壌である請求項１に記載の物質の処理剤。
【請求項３】
前記被処理物は、汚染水である請求項１に記載の物質の処理剤。
【請求項４】
前記被処理物は、動物の排泄物である請求項１に記載の物質の処理剤。
【請求項５】
前記石灰は、生石灰を主成分とするものである請求項１ないし４のいずれかに記載の物質の処理剤。
【請求項６】
前記石灰は、消石灰を主成分とするものである請求項１ないし４のいずれかに記載の物質の処理剤。
【請求項７】
前記石灰石は、阿南水成岩より得られるものである請求項１ないし６のいずれかに記載の物質の処理剤。
【請求項８】
物質の処理剤１００重量部を、水１００重量部に分散させた懸濁液のｐＨは、１１．００〜１２．５０である請求項１ないし７のいずれかに記載の物質の処理剤。
【請求項９】
平均粒径が、０．０１〜５００μｍである請求項１ないし８のいずれかに記載の物質の処理剤。
【請求項１０】
比重が、０．１〜１０ｇ／ｃｍ３である請求項１ないし９のいずれかに記載の物質の処理剤。
【請求項１１】
平均空孔率が、０．５〜２０％である請求項１ないし１０のいずれかに記載の物質の処理剤。
【請求項１２】
前記焼成処理は、７００〜１２００℃で、１５〜３０時間施すものである請求項１ないし１１のいずれかに記載の物質の処理剤。
【請求項１３】
前記塩は、塩化ナトリウムと塩化カリウムとを含む請求項１ないし１２のいずれかに記載の物質の処理剤。
【請求項１４】
前記塩中における塩化カリウムの含有量が、５〜８０ｗｔ％である請求項１３に記載の物質の処理剤。
【請求項１５】
請求項１ないし１４のいずれかに記載の物質の処理剤を用いることを特徴とする物質の処理方法。
【請求項１６】
石灰石に塩を加えて焼成処理することにより得られる石灰を主成分とする、物質の処理剤と、
大腸菌類、重金属、揮発性有機化合物、リン含有物質、窒素含有化合物、芳香族含有化合物、フッ素化合物から選択される少なくとも１種の汚染物質を含む被処理物とを接触させることを特徴とする物質の処理方法。
【請求項１７】
前記物質の処理剤と前記被処理物とを、水に溶解または分散させた状態で接触させる請求項１６に記載の物質の処理方法。
【請求項１８】
前記物質の処理剤と、前記被処理物とを接触させる際の温度が−１０〜１００℃である請求項１６または１７に記載の物質の処理方法。
【請求項１９】
前記物質の処理剤と、前記被処理物との接触時間は、１秒以上である請求項１６ないし１８のいずれかに記載の物質の処理方法。
【発明の詳細な説明】
【技術分野】
【０００１】
本発明は、物質の処理剤および物質の処理方法に関するものである。
【背景技術】
【０００２】
近年、六価クロムを始めとする重金属化合物やヒ素、さらにはダイオキシンなどによる環境の汚染が、社会問題となっている。
【０００３】
このような物質により環境が汚染されると、大気、飲料水、食物等を通じ、人間の健康に悪影響を与える。
【０００４】
このため、産業廃棄物や、工場排水中からこのような物質を除去し、環境の汚染を防止することが、急務となっている。
【０００５】
また、このような物質により汚染された土壌や地下水、湖沼などを浄化することも、急務となっている。
【０００６】
このような物質を除去する方法としては、例えば、オゾンに紫外線を照射した雰囲気中に、工場排水を通して行う方法が知られている（例えば、特許文献１参照）。
【０００７】
しかし、このような方法では、処理効率が悪いという問題があった。また、除去できる物質が限られる上、さらには、高価な設備が必要となるため、コストがかかるという問題もあった。また、オゾン自体が、人体に有害であるという問題があった。
【０００８】
【特許文献１】特開平８−１４１５８２号公報
【発明の開示】
【発明が解決しようとする課題】
【０００９】
本発明の目的は、環境を汚染し、人間の健康に悪影響を与える汚染物質等を処理できる処理剤、および汚染物質を簡便にかつ確実に除去することができる方法を提供することにある。
【課題を解決するための手段】
【００１０】
このような目的は、下記（１）から（１９）の本発明により達成される。
（１）  石灰石に塩を加えて焼成処理することにより得られる石灰を主成分とする、物質の処理剤であって、
大腸菌類、重金属、揮発性有機化合物、リン含有物質、窒素含有化合物、芳香族含有化合物、フッ素化合物から選択される少なくとも１種の汚染物質を含む被処理物より、前記汚染物質を除去する機能を有することを特徴とする物質の処理剤。
【００１１】
（２）  前記被処理物は、汚染土壌である上記（１）に記載の物質の処理剤。
（３）  前記被処理物は、汚染水である上記（１）に記載の物質の処理剤。
【００１２】
（４）  前記被処理物は、動物の排泄物である上記（１）に記載の物質の処理剤。
（５）  前記石灰は、生石灰を主成分とするものである上記（１）ないし（４）のいずれかに記載の物質の処理剤。
【００１３】
（６）  前記石灰は、消石灰を主成分とするものである上記（１）ないし（４）のいずれかに記載の物質の処理剤。
【００１４】
（７）  前記石灰石は、阿南水成岩より得られるものである上記（１）ないし（６）のいずれかに記載の物質の処理剤。
【００１５】
（８）  物質の処理剤１００重量部を、水１００重量部に分散させた懸濁液のｐＨは、１１．００〜１２．５０である上記（１）ないし（７）のいずれかに記載の物質の処理剤。
【００１６】
（９）  平均粒径が、０．０１〜５００μｍである上記（１）ないし（８）のいずれかに記載の物質の処理剤。
【００１７】
（１０）  比重が、０．１〜１０ｇ／ｃｍ３である上記（１）ないし（９）のいずれかに記載の物質の処理剤。
【００１８】
（１１）  平均空孔率が、０．５〜２０％である上記（１）ないし（１０）のいずれかに記載の物質の処理剤。
【００１９】
（１２）  前記焼成処理は、７００〜１２００℃で、１５〜３０時間施すものである上記（１）ないし（１１）のいずれかに記載の物質の処理剤。
【００２０】
（１３）  前記塩は、塩化ナトリウムと塩化カリウムとを含む上記（１）ないし（１２）のいずれかに記載の物質の処理剤。
【００２１】
（１４）  前記塩中における塩化カリウムの含有量が、５〜８０ｗｔ％である上記（１３）に記載の物質の処理剤。
【００２２】
（１５）  上記（１）ないし（１４）のいずれかに記載の物質の処理剤を用いることを特徴とする物質の処理方法。
【００２３】
（１６）  石灰石に塩を加えて焼成処理することにより得られる石灰を主成分とする、物質の処理剤と、
大腸菌類、重金属、揮発性有機化合物、リン含有物質、窒素含有化合物、芳香族含有化合物、フッ素化合物から選択される少なくとも１種の汚染物質を含む被処理物とを接触させることを特徴とする物質の処理方法。
【００２４】
（１７）  前記物質の処理剤と前記被処理物とを、水に溶解または分散させた状態で接触させる上記（１６）に記載の物質の処理方法。
【００２５】
（１８）  前記物質の処理剤と、前記被処理物とを接触させる際の温度が−１０〜１００℃である上記（１６）または（１７）に記載の物質の処理方法。
【００２６】
（１９）  前記物質の処理剤と、前記被処理物との接触時間は、１秒以上である上記（１６）ないし（１８）のいずれかに記載の物質の処理方法。
【発明の効果】
【００２７】
本発明によれば、環境を汚染し、人間の健康に悪影響を与える汚染物質等を処理できる物質の処理剤、および汚染物質を簡便にかつ確実に除去することができる方法を提供することができる。
【発明を実施するための最良の形態】
【００２８】
以下、本発明の物質の処理剤および物質の処理方法の好適な実施形態に基づいて詳細に説明する。
【００２９】
まず、本発明の物質の処理剤について以下説明する。
本発明の物質の処理剤（以下、単に処理剤ともいう）は、石灰石（石灰岩）に塩を加えて焼成処理することにより得られる石灰を主成分としている。
【００３０】
このような石灰石は、特に限定されないが、阿南水成岩より得られるものであるのが好ましい。これにより、得られる処理剤は、特に優れた汚染物質の除去能力を発揮することができる。
【００３１】
石灰としては、生石灰（ＣａＯ）や消石灰（Ｃａ（ＯＨ）２）が挙げられ、本発明の物質の処理剤には、これらのいずれか一方または両方を含むものを用いることができる。
【００３２】
石灰（処理剤）の組成は、後に詳述するように、被処理物の種類等によって適宜選択することができる。
【００３３】
生石灰を主成分とする石灰を用いる場合、石灰中の生石灰の含有量は、１０ｗｔ％以上であるのが好ましく、２５ｗｔ％以上であるのが好ましい。
【００３４】
処理剤１００重量部を、水１００重量部に分散させた懸濁液のｐＨは、１１．００〜１２．５０であるのが好ましく、１２．００〜１２．５０であるのがより好ましい。
【００３５】
このような処理剤の形態は、特に限定されないが、粉粒体であるのが好ましい。これにより、後述するような物質の処理方法に適用した場合、より効率よく処理を施すことができる。また、取り扱いが容易となる。
【００３６】
処理剤が粉粒体である場合、処理剤の平均粒径は、０．０１〜５００μｍであるのが好ましく、５〜１００μｍであるのがより好ましい。平均粒径が前記下限値未満であると、処理剤を製造するが困難となり、たとえ、製造できたとしても時間と手間がかかるという問題がある。一方、平均粒径が前記上限値を超えると、単位質量当たりでの処理剤と、被処理物との接触面積が減少し、高い処理効率を得るためには、多量の処理剤が必要となってしまう場合がある。
【００３７】
また、処理剤の比重は、０．１〜１０ｇ／ｃｍ３であるのが好ましく、０．２〜０．４ｇ／ｃｍ３であるのがより好ましい。処理剤の比重が小さすぎると、処理剤の嵩が大きくなり、取り扱い性が低下する場合がある。また、処理剤の比重が小さすぎると、後述するような水を含む被処理物（水を加えた被処理物）に対して処理を施す際に、処理剤が表面に浮いてしまい、十分に被処理物と接触させるのが困難となる場合がある。一方、処理剤の比重が大きすぎると、例えば、後述するような水を含む被処理物（水を加えた被処理物）に対して処理を施す際に、すぐに沈殿してしまい、十分に接触させるのが困難となる場合がある。
【００３８】
処理剤の平均空孔率は、０．５〜２０ｖｏｌ％であるのが好ましく、１〜１０ｖｏｌ％であるのがより好ましい。処理剤の平均空孔率をこのような範囲のものとすることにより、処理剤は、汚染物質の吸着能力をより効果的に発揮することができ、結果として、特に優れた汚染物質の除去能力を発揮することができる。
【００３９】
上述したような処理剤を後に詳述する物質の処理方法に適用すると、大腸菌類、重金属類、揮発性有機化合物、リン含有物質、窒素含有化合物、芳香族含有化合物、フッ素化合物から選択される少なくとも１種の汚染物質を含有する被処理物（処理対象物）中の汚染物質を除去することができる。
【００４０】
大腸菌類としては、例えば、腸管出血性大腸菌、腸管毒素原性大腸菌、腸管侵入性大腸菌、腸管病原性大腸菌、腸管付着性大腸菌等の病原性大腸菌が挙げられる。
【００４１】
重金属類としては、例えば、鉛、水銀、スズ、六価クロム、ヒ素等の重金属や、有機鉛、有機水銀、有機スズ等の重金属化合物等が挙げられる。
【００４２】
揮発性有機化合物としては、ジクロロメタン、１，２−ジクロロエタン、シス１，２−ジクロロエタン、トリクロロエチレン、テトラクロロエチレン、ホルムアルデヒド、トルエン、ベンゼン、キシレン、ｎ−ヘキサン等が挙げられる。
【００４３】
リン含有物質としては、例えば、ダイアジノン、パラチオン、メチルパラチオン、フェニトロチオン、ＥＰＮ等の農薬（有機リン化合物）等が挙げられる。
【００４４】
窒素含有化合物としては、例えば、ＮＯｘ（窒素酸化物）、アンモニア等が挙げられる。
【００４５】
芳香族含有化合物としては、例えば、ベンゼン、トルエン、キシレン、クロロベンゼン、フェノール、安息香酸、ピリジン、ナフタレン、アントラセン、フェナントレン、ダイオキシン類（ダイオキシン、ジベンゾフラン等）、ポリ塩化ビフェニル（ＰＣＢ）、２，４−ジクロロフェノキシ酢酸、ＤＤＴ、リグニン等が挙げられる。
【００４６】
フッ素化合物としては、例えば、ＣＦＣ（クロロフルオロカーボン）、ＨＣＦＣ（ハイドロクロロフルオロカーボン）、ＨＦＣ（ハイドロフルオロカーボン）等のフロン類、フッ化ナトリウム等のアルカリ金属のフッ化物等が挙げられる。
【００４７】
なお、前述したような汚染物質を含む被処理物としては、特に限定されず、例えば、汚染土壌、工場排水等の汚染水、動物の排泄物等の様々な形態のものが挙げられる。
【００４８】
このように本発明では、上述したような処理剤を用いることにより、様々な汚染物質を含む被処理物を処理することができる。
【００４９】
このような処理剤は、具体的には、例えば、以下に示すような方法により、製造することができる。
【００５０】
まず、阿南水成岩より得られた石灰石（主成分ＣａＣＯ３）を破砕して小塊状とする。
次に、得られた小塊状の石灰石に、塩を０．０１〜３ｗｔ％程度添加する。
【００５１】
このような塩は、塩化ナトリウムと塩化カリウムとを含むものであるのが好ましい。
塩全体における塩化ナトリウムの含有量は、５〜８０ｗｔ％であるのが好ましい。
【００５２】
また、塩全体における塩化カリウムの含有量は、５〜８０ｗｔ％であるのが好ましい。塩化カリウムの含有量がこのような範囲の塩を用いることにより、得られる処理剤は、特に優れた汚染物質の除去能力を発揮することができる。また、キレート効果によって、汚染物質を不溶化する能力を発揮することができる。
【００５３】
石灰石と塩との混合物を土中炉に入れ、石炭、コークス等を燃料として、７００〜１２００℃で１５〜３０時間焼成する。
以上のようにして、生石灰を主成分とする処理剤（石灰）が得られる。
【００５４】
また、このようにして得られた、生石灰を主成分とする石灰に水を加え、消化させることにより、主成分として消石灰を含む処理剤が得られる。
【００５５】
このようにして製造された処理剤は、特に優れた汚染物質の除去能力を発揮することができる。また、還元作用による、優れた汚染物質の分解能力を発揮することができる。
【００５６】
次に、本発明の物質の処理方法について説明する。
本発明の物質の処理方法は、前述したような処理剤と、汚染物質を含む被処理物とを接触させることを特徴とする。これにより、被処理物より、汚染物質を簡便にかつ確実に除去することができる。
【００５７】
このように処理剤と被処理物とを接触させる際に、処理剤と被処理物とを、水に溶解または分散させた状態で接触させるのが好ましい。これにより、より効果的に処理剤と被処理物とを接触させることができ、その結果、より効果的に汚染物質を除去することができる。
【００５８】
被処理物に対する処理剤の添加量は、０．００１ｗｔ％以上であるのが好ましく、０．１〜１０ｗｔ％であるのがより好ましい。処理剤の添加量が前記下限値未満であると、汚染物質を十分に除去することができない可能性がある。
【００５９】
また、処理剤と被処理物との接触時間は、１秒以上であるのが好ましく、１秒〜３０日であるのがより好ましい。これにより、より確実に汚染物質を除去することができる。
また、被処理剤と処理剤とを接触させる際の温度は、−１０〜１００℃であるのが好ましい。これにより、より効率的に被処理物の処理を行うことができる。
【００６０】
接触させる方法としては、被処理物の形態により適宜選択され、具体的には、例えば、以下に示す方法を用いることができる。
【００６１】
（１）被処理物が汚染土壌である場合
汚染土壌に所定量の処理剤を添加し、その後、所定量の水（蒸留水）を加え、均一に撹拌混合することにより、汚染土壌（被処理物）と処理剤とを十分に接触させる。
【００６２】
汚染土壌に用いる処理剤としては、生石灰を主成分とするものおよび消石灰を主成分とするもののどちらを用いてもよいが、消石灰を主成分とする処理剤を用いるのが好ましい。これにより、より効率よく汚染物質を除去することができる。
【００６３】
汚染土壌に対する処理剤の添加量は、０．５〜１０ｗｔ％であるのが好ましく、１〜１０ｗｔ％であるのがより好ましい。処理剤の添加量が前記下限値未満であると、汚染物質を十分に除去することができない可能性がある。
【００６４】
また、汚染土壌に対する水（蒸留水）の添加量は、１００〜５００ｗｔ％であるのが好ましく、１００〜２００ｗｔ％であるのがより好ましい。これにより、処理剤と被処理物とを効率よく接触させることができ、より確実に汚染物質を除去することができる。
【００６５】
また、汚染土壌と処理剤との接触時間は、０．５日以上であるのが好ましく、０．５〜３０日であるのがより好ましい。また、１日に、１〜３回、１回あたり１０〜３０秒程度撹拌するのが好ましい。これにより、より確実に汚染物質を除去することができる。
【００６６】
また、汚染土壌と処理剤とを接触させる際の温度は、−５〜１００℃であるのが好ましく、１０〜３０℃であるのがより好ましい。これにより、より効率的に被処理物の処理を行うことができる。
【００６７】
（２）被処理物が汚染水である場合
汚染水に所定量の処理剤を添加し、均一に撹拌混合することにより、汚染水と処理剤とを十分に接触させる。
【００６８】
汚染水に用いる処理剤としては、生石灰を主成分とするものおよび消石灰を主成分とするもののどちらを用いてもよいが、消石灰を主成分とする処理剤を用いるのが好ましい。これにより、より効率よく汚染物質を除去することができる。
【００６９】
汚染水に対する処理剤の添加量は、０．００１〜１０ｗｔ％であるのが好ましく、０．１〜５ｗｔ％であるのがより好ましい。処理剤の添加量が前記下限値未満であると、汚染物質を十分に除去することができない可能性がある。
【００７０】
また、汚染水と処理剤との接触時間は、１秒以上であるのが好ましく、１０秒〜３０日であるのがより好ましい。また、１日に、１〜３回、１回あたり１０〜３０秒程度撹拌するのが好ましい。これにより、より確実に汚染物質を除去することができる。
【００７１】
また、汚染水と処理剤とを接触させる際の温度は、０〜１００℃であるのが好ましく、１０〜３０℃であるのがより好ましい。これにより、より効率的に被処理物の処理を行うことができる。
【００７２】
（３）被処理物が動物の排泄物である場合
水（蒸留水）に処理剤を加えて得られた懸濁液を、動物の排泄物に加え、均一に撹拌混合することにより、動物の排泄物と処理剤とを十分に接触させる。
【００７３】
動物の排泄物に用いる処理剤としては、生石灰を主成分とするものおよび消石灰を主成分とするもののどちらを用いてもよいが、生石灰を主成分とする処理剤を用いるのが好ましい。これにより、より効率よく汚染物質を除去することができる。
【００７４】
動物の排泄物に対する処理剤の添加量は、５〜２０ｗｔ％であるのが好ましく、５〜１０ｗｔ％であるのがより好ましい。処理剤の添加量が前記下限値未満であると、汚染物質を十分に除去することができない可能性がある。
【００７５】
また、動物の排泄物に対する水（蒸留水）の添加量は、０．５〜４０ｗｔ％であるのが好ましく、１〜３５ｗｔ％であるのがより好ましい。これにより、処理剤と被処理物とを効率よく接触させることができ、より確実に汚染物質を除去することができる。
【００７６】
また、動物の排泄物と処理剤との接触時間は、１０秒以上であるのが好ましく、６０秒〜３０日であるのがより好ましい。また、１日に、１〜１０回、１回あたり３０〜６０秒程度撹拌するのが好ましい。これにより、より確実に汚染物質を除去することができる。
【００７７】
また、動物の排泄物と処理剤とを接触させる際の温度は、０〜１００℃であるのが好ましく、１０〜３０℃であるのがより好ましい。これにより、より効率的に被処理物の処理を行うことができる。
【００７８】
このように、本発明では、処理剤を単に被処理物に接触させるだけでよいので、処理の方法も極めて簡単である。
【００７９】
以上、本発明の物質の処理剤および物質の処理方法について、好適な実施形態に基づいて説明したが、本発明はこれに限定されるものではない。
【実施例】
【００８０】
次に、本発明の具体的実施例について説明する。
［１］処理剤の製造
【００８１】
［１−１］生石灰を主成分とする処理剤Ａの製造
まず、阿南水成岩より得られた石灰石（主成分ＣａＣＯ３）を用意し、該石灰石を破砕して小塊状とした。
【００８２】
次に、塩化ナトリウムを２０．９９ｗｔ％、塩化カリウムを２８．０９ｗｔ％含んだ塩を用意した。
次に、得られた小塊状の石灰石に、前記塩を３ｗｔ％程度添加した。
【００８３】
石灰石と塩との混合物を土中炉に入れ、石炭を燃料として、１０００℃で２時間焼成し、生石灰を主成分とする処理剤Ａを得た。得られた処理剤Ａの比重は、０．２ｇ／ｃｍ３ 、平均粒径は、５０μｍ、平均空孔率は、５％、処理剤Ａ１００重量部を、水１００重量部に分散させた懸濁液のｐＨは、１１．７０であった。
【００８４】
［１−２］消石灰を主成分とする処理剤Ｂの製造
［１−１］で得られた、生石灰を主成分とする処理剤Ａに水を加え、消化させることにより、消石灰を主成分とする処理剤Ｂを得た。得られた処理剤Ｂの比重は、０．８５ｇ／ｃｍ３ 、平均粒径は、５０μｍ、平均空孔率は、７％、処理剤Ｂ１００重量部を、水１００重量部に分散させた懸濁液のｐＨは、１２．５０であった。
【００８５】
［２］被処理物の処理
（実施例１）汚染水の処理
まず、汚染水として、葛西下水処理場より採取した原水を用意した。
【００８６】
次に、汚染水約１ｋｇに対し、処理剤Ｂを６ｇ添加し撹拌した。その後、１日に３回、１回約１０秒撹拌し、３日間処理を行った。なお、処理温度は、２５℃であった。
処理を施した後、処理剤Ｂを濾別した。
【００８７】
処理を施す前の汚染水のリン含有量は、２００ｐｐｍ、処理を施した後の汚染水のリン含有量は、０．２０ｐｐｍであった。なお、リン含有量は、ペルオキソ二硫酸カリウム分解法（ＪＩＳ  Ｋ  ０１０２−４６．３）を用いて測定した。
【００８８】
（実施例２）動物の排泄物の処理
まず、動物の排泄物として、牛の糞尿を用意した。
次に、牛の糞尿約６００ｋｇに対して水２００ｋｇを加えた試料を作製した。
【００８９】
次に、前記試料に処理剤Ａ８ｋｇを添加し撹拌した。その後、１日に３回、１回約２０秒撹拌し、８日間処理を行った。なお、処理温度は、２５℃であった。
処理を施した後、試料より、処理剤Ａを濾別した。
【００９０】
処理を施す前と処理を施した後の、試料のＢＯＤ（生物化学的酸素要求量）、ＣＯＤ（化学的酸素要求量）、ＳＳ（浮遊物質量）、大腸菌群数、窒素含有量、リン含有量を測定した。なお、ＢＯＤは、ウィンクラーアジ化ナトリウム変法（ＪＩＳ  Ｋ  ０１０２−３２．１）により、ＣＯＤは、滴定法（ＪＩＳ  Ｋ  ０１０２−１７）により、ＳＳは、ろ過重量法（昭和４６年環境庁告示第５９号付表８）により、大腸菌群数は、下水の水質の検定方法により、窒素含有量は、紫外吸光光度法（ＪＩＳ  Ｋ  ０１０２−４５．２）により、また、リン含有量は、ペルオキソ二硫酸カリウム分解法（ＪＩＳ  Ｋ  ０１０２−４６．３）により、それぞれ測定した。
測定結果を表１に示す。
【００９１】
【表１】
2005103522.tif 000002
【００９２】
（実施例３）汚染土壌の処理
まず、汚染土壌として、古綾瀬川（草加市）の河川敷より採取した土壌を用意した。
【００９３】
次に、汚染土壌１００重量部に対し、１００重量部の水（蒸留水）を加え、試料を作製した。
【００９４】
次に、前記試料に、２重量部の処理剤Ｂを加え撹拌した。その後、１日に３回、１回約１０秒撹拌し、９日間処理を行った。なお、処理温度は、２０℃であった。
処理を施した後、試料より、処理剤Ｂを濾別した。
【００９５】
処理を施す前と処理を施した後の試料のダイオキシン類（ダイオキシン、ジベンゾフラン）の濃度を、ＧＣ−ＭＳ法を用いて測定した。
測定結果を表２に示す。
【００９６】
【表２】
2005103522.tif 000003
【００９７】
（実施例４）汚染土壌の処理
まず、実施例３と同様の試料を作製した。
【００９８】
次に、前記試料に対し、８重量部の処理剤Ｂを加え撹拌した。その後、１日に３回、１回約１０秒撹拌し、３０日間処理を行った。なお、処理温度は、２０℃であった。
処理を施した後、試料より、処理剤Ｂを濾別した。
【００９９】
処理を施す前と処理を施した後の、汚染土壌に含まれる、ｎ−ヘキサン抽出物、六価クロム、ヒ素、ジクロロメタン、１，２−ジクロロエタン、シス１，２−ジクロロエタン、トリクロロエチレン、テトラクロロエチレン、ベンゼン、フッ素化合物の含有量を測定した。なお、ｎ−ヘキサン抽出物は、昭和４９年環境庁告示第６４号付表５に掲げる方法により、六価クロムは、ジフェニルカルバジド吸光光度法（ＪＩＳ  Ｋ  ０１０２−５４）により、ヒ素は、水素化物発生ＩＣＰ発光分析法（ＪＩＳ  Ｋ  ０１０２−６１．３）により、ジクロロメタン、１，２−ジクロロエタン、シス１，２−ジクロロエタン、トリクロロエチレン、テトラクロロエチレンおよびベンゼンは、ＨＳ−ＧＣ／ＭＳ法（ＪＩＳ  Ｋ  ０１２５−５．１）により、フッ素化合物は、吸光光度法（ＪＩＳ  Ｋ  ０１０２−３４．１）により、それぞれ測定した。
測定結果を表３に示す。
【０１００】
【表３】
2005103522.tif 000004
【０１０１】
（実施例５）汚染水の処理
ポリ塩化ビフェニル（ＰＣＢ）を５３．７ｗｔ％含む試料（汚染水）を用意した。
【０１０２】
前記試料１００ｇに対し、処理剤Ａ２０ｇを加え、撹拌した。その後、１日に２回、１回約２０秒撹拌し、室温（２５℃）にて３０日間処理を行った。
また、同様にして、処理剤Ｂを用いて処理を行った。
【０１０３】
処理を施した後、汚染水より、処理剤Ｂを濾別した。
処理を施した後の試料中のＰＣＢの含有量をガスクロマトグラフ法（ＪＩＳ  Ｋ  ００９３）により測定し、ＰＣＢの残存率を求めたところ、ともにＰＣＢの残存率が、８４．９％であった。
【０１０４】
以上の結果より、本発明の物質の処理剤および物質の処理方法を用いれば、大腸菌類、重金属、揮発性有機化合物、リン含有物質、窒素含有化合物、芳香族含有化合物、フッ素化合物等の汚染物質を簡便にかつ確実に除去できることが確認された。